(57)【要約】【課題】  有機ＥＬ発光パネルとこれを点灯駆動する点灯駆動装置との間の整合性を担保する発光装置、有機ＥＬ発光パネル、及び点灯駆動装置を提供する。【解決手段】  有機ＥＬ発光パネルは自身のパネル型式コードを保持しており、駆動部は、認証型式コードを予め保持しており、当該パネル型式コードを読み出してこれと前記認証型式コードとの対応を判別してその判別結果を告知する。
2013114618.tif 000002
【特許請求の範囲】
【請求項１】
有機ＥＬ発光パネルと、前記有機ＥＬ発光パネルを脱着自在に保持しつつこれを点灯駆動する点灯駆動部と、を含む発光装置であって、
前記有機ＥＬ発光パネルは、自身のパネル型式コードを保持しており、
前記点灯駆動部は、認証型式コードを予め保持しており、前記パネル型式コードを読み出してこれと前記認証型式コードとの対応を判別して、この判別結果を告知する判別告知手段を含んでいることを特徴とする発光装置。
【請求項２】
前記パネル型式コードは、前記有機ＥＬ発光パネルの製造型式を示すコードであることを特徴とする請求項１に記載の発光装置。
【請求項３】
前記パネル型式コードは、少なくともメーカ識別情報及びメーカ別型式情報を含んでいることを特徴とする請求項１に記載の発光装置。
【請求項４】
前記パネル型式コードは、製造地情報及び／又は使用地情報を含むことを特徴とする請求項３に記載の発光装置。
【請求項５】
前記判別告知手段は、前記点灯駆動部を示す少なくとも１つの駆動部型式コードを保持しており、前記点灯駆動部と前記有機ＥＬ発光パネルとの適合性の有無を、前記パネル型式コードと前記駆動部型式コードとを対比することによって判別することを特徴とする請求項１に記載の発光装置。
【請求項６】
前記判別告知手段は、駆動部型式コード群と前記駆動部型式コード群中の各コードに夫々対応するパネル型式コード群とをマップとして保持するデータマップを保持しており、前記適合性の有無の判別を前記データマップに基づいて行うことを特徴とする請求項５に記載の発光装置。
【請求項７】
前記判別告知手段の告知は、光学的、音響的、又は電気的手段によることを特徴とする請求項１に記載の発光装置。
【請求項８】
前記判別告知手段による適合性の有無の判別は、最適合度、許容適合度、及び不適合度の判別であることを特徴とする請求項１に記載の発光装置。
【請求項９】
点灯駆動装置に対して脱着自在な有機ＥＬ発光パネルであって、
自身のパネル型式コードを保持していることを特徴とする有機ＥＬ発光パネル。
【請求項１０】
前記パネル型式コードは、前記有機ＥＬ発光パネルの製造型式を示すコードであることを特徴とする請求項９に記載の発光装置。
【請求項１１】
前記パネル型式コードは、少なくともメーカ識別情報及びメーカ別型式情報を含んでいることを特徴とする請求項９に記載の有機ＥＬ発光パネル。
【請求項１２】
前記パネル型式コードは、製造地情報及び／又は使用地情報を含むことを特徴とする請求項１１に記載の有機ＥＬ発光パネル。
【請求項１３】
少なくとも寿命情報及び／又は特性情報を含む付随情報を更に保持していることを特徴とする請求項１１に記載の有機ＥＬ発光パネル。
【請求項１４】
有機ＥＬ発光パネルを脱着自在に保持しつつこれを点灯駆動する点灯駆動装置であって、
認証型式コードを予め保持しており、前記有機ＥＬ発光パネルに記憶されているパネル型式コードを読み出してこれと前記認証型式コードとの対応を判別して、この判別結果を告知する判別告知手段を含んでいることを特徴とする点灯駆動装置。
【請求項１５】
前記判別告知手段は、自身を示す少なくとも１つの駆動部型式コードを保持しており、自身と前記パネルとの適合性の有無を、前記パネル型式コードと前記駆動部型式コードとを対比することによって判別することを特徴とする請求項１４に記載の発光装置。
【請求項１６】
前記判別告知手段は、駆動部型式コード群と前記駆動部型式コード群中の各コードに夫々対応するパネル型式コード群とをマップとして保持するデータマップを保持しており、前記適合性の有無の判別を前記データマップに基づいて行うことを特徴とする請求項１５に記載の発光装置。
【発明の詳細な説明】
【技術分野】
【０００１】
本発明は、発光装置、これに含まれる有機ＥＬ発光パネル、及び当該パネルを点灯駆動する点灯駆動装置に関する。
【背景技術】
【０００２】
比較的新しい発光パネルである有機ＥＬ発光パネルに関しては、共通な規格が未だ制定されていない。従って、例えば有機ＥＬ発光パネルのメーカとこれを点灯駆動する点灯駆動装置のメーカとが異なる場合には、有機ＥＬ発光パネルと点灯駆動装置との機械的若しくは電気的マッチングが担保されないという問題があった。【０００３】
そこで、特許文献１に開示された有機ＥＬ照明装置においては、有機ＥＬパネルにおいて、有機ＥＬ素子とこの素子の消費電力、定格電圧、定格電流、調光の可否、調色の可否、定格寿命、メーカ名などの特性情報を保持する特性情報保持部とを設けている。かかる構成によれば、点灯装置において、装着された有機ＥＬパネルの特性情報を取り出して適合性を判断することにより、点灯駆動装置に対して規格外の有機ＥＬパネルが装着されて点灯駆動されることによって不具合を生ずることを回避できるというものである。
【先行技術文献】
【特許文献】
【０００４】
【特許文献１】特開２００７−１７３０８８号公報
【発明の概要】
【発明が解決しようとする課題】
【０００５】
しかしながら、上記した従来技術においては、用いられるべき特性情報の内容が未だ統一されておらず、実際上、メーカとして、どのような特性情報を有機ＥＬ発光パネルに保持しておけば良いのか解らない。例えば、メーカの異なる２つの有機ＥＬ発光パネルにおいては、ＥＬ層の発光材料の組成が異なれば、定格電圧電流が同一であっても発光色が異なる。また、例え同一のメーカの製品であっても、型式が互いに異なれば、有機ＥＬ材料の材質も相違する可能性があり、電気的特性などの特性値が同一であっても発光色が微妙に相違することもあり得る。有機ＥＬパネルは面発光体であるが故に、発光色の相違は大きな問題である。特に、複数の有機ＥＬパネルを並置して広い照明発光面を形成する場合に発光色の相違が問題となる。本発明の解決課題は、上記した問題が一例として挙げられる。【０００６】
本発明は上記した如き問題点に鑑みてなされたものであって、有機ＥＬ発光パネルとこれを駆動する点灯駆動装置との間の整合性を担保する発光装置、これに含まれる有機ＥＬ発光パネル、及び当該パネルを駆動する点灯駆動装置を提供することを目的とする。
【課題を解決するための手段】
【０００７】
本発明による発光装置は、有機ＥＬ発光パネルと、前記有機ＥＬ発光パネルを脱着自在に保持しつつこれを点灯駆動する点灯駆動部と、を含む発光装置であって、前記有機ＥＬ発光パネルは、自身のパネル型式コードを保持しており、前記点灯駆動部は、認証型式コードを予め保持しており、前記パネル型式コードを読み出してこれと前記認証型式コードとの対応を判別して、この判別結果を告知する判別告知手段を含んでいることを特徴とする。【０００８】
また、本発明による有機ＥＬ発光パネルは、点灯駆動装置に対して脱着自在な有機ＥＬ発光パネルであって、自身のパネル型式コードを保持していることを特徴とする。【０００９】
また、本発明による点灯駆動装置は、有機ＥＬ発光パネルを脱着自在に保持しつつこれを点灯駆動する点灯駆動装置であって、認証型式コードを予め保持しており、前記有機ＥＬ発光パネルに記憶されているパネル型式コードを読み出してこれと前記認証型式コードとの対応を判別して、この判別結果を告知する判別告知手段を含んでいることを特徴とする。
【図面の簡単な説明】
【００１０】
【図１】本発明の実施例である発光装置の構成を示すブロック図である。
【図２】発光パネルの記憶部に記憶されるパネル型式コード及び付随情報の一例を示す図である。
【図３】点灯駆動部の記憶部に記憶されるパネル型式コードの一例を示す図である。
【図４】点灯駆動部の判別制御部による適合性判別処理ルーチンを示すフローチャートである。
【図５】点灯駆動部の記憶部に記憶される駆動部型式コードの一例を示す図である。
【図６】点灯駆動部の記憶部に記憶されるデータマップの一例を示す図である。
【図７】駆動部型式コード及びデータマップを用いた場合の適合性判別処理ルーチンを示すフローチャートである。
【図８】点灯駆動部の判別制御部による別の適合性判別処理ルーチンを示すフローチャートである。
【図９】ドライバを備えた有機ＥＬ発光パネルを有する発光装置の構成を示すブロック図である。
【図１０】通信部を備える点灯駆動部を有する発光装置の構成を示すブロック図である。
【図１１】点灯駆動部の記憶部に記憶されるパネル型式コード及び適合度情報の一例を示す図である。
【図１２】適合度情報を含むデータマップの一例を示す図である。
【図１３】適合度情報を用いた適合性判別処理ルーチンを示すフローチャートである。
【発明を実施するための形態】
【００１１】
以下、本発明に係る実施例について添付の図面を参照しつつ詳細に説明する。
＜第１の実施例＞
図１には、本発明の実施例である発光装置１の構成が示されている。発光装置１は、発光パネル１０と、発光パネル１０を脱着自在に保持しつつこれを点灯駆動する点灯駆動部２０とからなる。
【００１２】
発光パネル１０は、発光素子１１と記憶部１２とを備える有機ＥＬ発光パネルである。発光素子１１は、有機ＥＬ発光素子である。有機ＥＬ発光素子は、陽極及び陰極からなる一対の電極間に有機発光層が形成された一般的な構造を有する発光素子を用いることができる。発光素子１１は、点灯駆動部２０によって駆動される。
【００１３】
記憶部１２は、自身の発光パネル１０の型式を示すパネル型式コードを記憶している。製品型式コードは、製造業者（メーカ）ごとに定められる、製品の分類情報コードすなわち製品モデルコードである。パネル型式コードは、駆動部２０に対する整合性の有無の判別すなわち認証をするために用いられる。パネル型式コードは、例えば発光パネル１０の製造型式を示す製造型式情報を含む。製造型式情報は、例えば発光パネル１０の製造元を示すメーカ識別情報を含む。また、製造型式情報は、メーカ別の発光パネル型式を示すメーカ別型式情報を更に含んでも良い。メーカ別型式情報は、例えば、発光パネル１０の製造地の区分を示す製造地情報、発光パネル１０の材料の区分を示す材料情報、発光パネル１０の構造や外形などによって分類されるモデル情報を含む。メーカ別型式情報は、発光パネル１０の使用地の区分を示す使用地情報を更に含んでも良い。また、パネル型式コードは、発光パネル１０のいわゆる製品型式を分類するためのコードと同一形式である必要はなく、所定の分類基準に従って分類される発光パネル群の各々を指称する数字や文字の集合であっても良い。
【００１４】
また、記憶部１２は、発光パネル１０についての付随情報を更に記憶することができる。付随情報は、例えば、発光パネル１０の製造年月や耐用期間等の寿命情報、及び／又は、色調や調光特性等の特性情報を含む。パネル型式コード、駆動部型式コード、及び付随情報は暗号化されていても良い。なお、記憶部１２は、有機半導体により構成されてもよい。
【００１５】
点灯駆動部２０は、発光パネル１０を点灯駆動する装置である。
【００１６】
電源部２１は、ドライバ２２、処理部２４、及び告知部２７に電源供給する。
【００１７】
ドライバ２２は、発光素子１１を点灯駆動する回路である。ドライバ２２は、後述する判別制御部２６からの指示に応じて、発光素子１１を点灯、消灯、及び点滅させる。この際、ドライバ２２は、判別制御部２６によって色調の度合い等の点灯条件が設定されている場合には当該設定に応じた駆動を行なう。
【００１８】
記憶部２３は、自身の点灯駆動部２０と整合性すなわち適合性のある認証型式コードとして、少なくとも１つの発光パネル１０のパネル型式コードを記憶している。パネル型式コードは、メーカ識別情報やメーカ別型式情報等の製造型式情報を含む。メーカ別型式情報は、例えば、製造地情報、材料情報、モデル情報、及び使用地情報を含む。また、パネル型式コードは、発光パネル１０のいわゆる製品型式を分類するためのコードと同一形式である必要はなく、所定の分類基準に従って分類される発光パネル群の各々を指称する数字や文字の集合であっても良い。
【００１９】
処理部２４は、読出部２５と判別制御部２６とからなる。
【００２０】
読出部２５は、発光パネル１０の記憶部１２に記憶されているパネル型式コードを読み出してこれを判別制御部２６に与える。読出部２５は、付随情報が発光パネル１０の記憶部１２に記憶されている場合には、当該付随情報も併せて読み出す。読出部２５は、例えば、発光パネル１０が点灯駆動部２０に取り付けられたときにこれらの情報を読み出す。読出部２５は、これらのコード及び付随情報が暗号化されている場合には、これらを復号してから判別制御部２６に与える。また、読出部２５は、点灯駆動部２０の記憶部２３に記憶されているパネル型式コードも読み出してこれを判別制御部２６に与える。
【００２１】
判別制御部２６は、読出部２５によって読み出された型式コードに基づいて発光パネル１０と自身の点灯駆動部２０との適合性の有無を判別する。詳細には、判別制御部２６は、発光パネル１０の記憶部１２から読み出されたパネル型式コードが、点灯駆動部２０の記憶部２３から読み出されたパネル型式コードのいずれか１つと一致するか判別する。以下、型式コードに基づく判別結果をコード判別結果と称する。
【００２２】
判別制御部２６は、コード判別結果に応じて、発光素子１１の制御についての指示をドライバ２２に与える。詳細には、判別制御部２６は、コードが一致していることを示すコード判別結果に応じて、発光素子１１を点灯させる指示をドライバ２２に与える。この際、判別制御部２６は、読出部２５によって読み出された特性情報に基づいて色調の度合い等の点灯条件を設定することもできる。また、判別制御部２６は、コードが不一致であることを示すコード判別結果に応じて、発光素子１１を点灯させない指示をドライバ２２に与える。この場合、判別制御部２６は、更に、発光パネル１０が不適合品であることをユーザに告知する告知指示を後述する告知部２７に与える。
【００２３】
また、判別制御部２６は、発光パネル１０の記憶部１２から読み出された付随情報に基づいて、発光パネル１０の寿命に関する判別をすることもできる。詳細には、判別制御部２６は、付随情報に含まれる製造年月と耐用年数を取出し、製造年月から耐用年数だけ経過した年月を発光パネル１０の寿命とする。判別制御部２６は、発光パネル１０の寿命が現時点の年月を超えている場合には、寿命が尽きていると判別する。以下、寿命に関する判別結果を寿命判別結果と称する。
【００２４】
判別制御部２６は、寿命判別結果に応じて、発光素子１１の制御についての指示をドライバ２２に与える。詳細には、判別制御部２６は、寿命が尽きていないことを示す寿命判別結果に応じて、発光素子１１を点灯させる指示をドライバ２２に与える。また、判別制御部２６は、寿命が尽きていることを示す寿命判別結果に応じて、発光素子１１を点灯させない指示をドライバ２２に与える。この場合、判別制御部２６は、更に、発光パネル１０の寿命が尽きていることをユーザに告知する告知指示を後述する告知部２７に与える。
【００２５】
告知部２７は、判別制御部２６からの告知指示に応じて、発光パネル１０が不適合品であることをユーザに告知する。また、告知部２７は、発光パネル１０の寿命が尽きていることについてもユーザに告知することができる。告知部２７は、例えば警告灯であり、警告灯の点滅等の光学的手段により告知する。また、告知部２７は、例えばスピーカであり、警告音を発する等の音響的手段により告知する。また、告知部２７は、例えば警告信号を出力する等の電気的手段により告知することとしても良い。以下、記憶部２３、読出部２５、判別制御部２６及び告知部２７をまとめて判別告知手段と称する。
【００２６】
図２には、発光パネル１０の記憶部１２に記憶されるパネル型式コード及び付随情報の一例が示されている。パネル型式コード「Ｐ１−Ａ１−Ｅ１−Ｍ１」は、メーカ識別情報「Ｐ１」と、メーカ別型式情報「Ａ１−Ｅ１−Ｍ１」とからなる。メーカ別型式情報「Ａ１−Ｅ１−Ｍ１」は、製造地情報「Ａ１」、材料情報「Ｅ１」、及びモデル情報「Ｍ１」からなる。付随情報には、製造年月：ｘｘ／ｙｙ／ｚｚ、耐用期間：ｓｓ／ｔｔ等の情報が含まれる。なお、これらの情報は暗号化されていても良い。
【００２７】
図３には、点灯駆動部２０の記憶部２３に記憶されるパネル型式コードの一例が示されている。記憶部２３には、自身の点灯駆動部２０と適合性のある型式コードとして少なくとも１つのパネル型式コードが記憶されている。パネル型式コードは、上記と同様の構成からなる。例えば「Ｐ１−Ａ１−Ｅ１−Ｍ１」等のパネル型式コードが記憶部２３に記憶されている。
【００２８】
以下、図４を参照しつつ、点灯駆動部２０の判別制御部２６による適合性判別処理について説明する。
【００２９】
先ず、読出部２５は、発光パネル１０の記憶部１２からパネル型式コード（図２）を読み出す（ステップＳ１０）。読出部２５は、記憶部１２に付随情報が記憶されている場合には、これを併せて読み出しても良い。また、読出部２５は、点灯駆動部２０の記憶部２３からもパネル型式コード（図３）を読み出す（ステップＳ１０）。読出部２５は、例えば、発光パネル１０が点灯駆動部２０に取り付けられたときにこれらの情報を読み出す。
【００３０】
次に、読出部２５は、パネル型式コード及び／又は付随情報が暗号化されている場合にはこれらを復号する（ステップＳ１１）。
【００３１】
次に、判別制御部２６は、発光パネル１０の記憶部１２から読み出されたパネル型式コードが、点灯駆動部２０の記憶部２３から読み出されたパネル型式コードのいずれか１つと一致するか判別する（ステップＳ１２）。
【００３２】
次に、判別制御部２６は、パネル型式コードが一致しないと判別した場合には、発光パネル１０が不適合品であることをユーザに告知する告知指示を告知部２７に与える（ステップＳ１３）。また、判別制御部２６は、発光素子１１を点灯させない指示をドライバ２２に与える。判別制御部２６は、パネル型式コードが一致すると判別した場合にはステップＳ１４に進む。
【００３３】
次に、判別制御部２６は、読出部２５によって発光パネル１０の記憶部１２から付随情報が読み出された場合には、発光パネル１０の寿命に関する判別を行なう（ステップＳ１４）。詳細には、判別制御部２６は、付随情報に含まれる製造年月と耐用年数とから発光パネル１０の寿命を算出し、当該寿命が現時点の年月を超えている場合には寿命が尽きていると判別する。
【００３４】
判別制御部２６は、発光パネル１０の寿命が尽きていると判別した場合には、発光パネル１０の寿命が尽きていることをユーザに告知する告知指示を告知部２７に与える（ステップＳ１３）。また、判別制御部２６は、発光素子１１を点灯させない指示をドライバ２２に与える。一方、発光パネル１０の寿命が尽きていないと判別した場合には、判別制御部２６は、発光素子１１を点灯させる指示をドライバ２２に与える（ステップＳ１５）。この際、判別制御部２６は、読出部２５によって読み出された特性情報に基づいて色調の度合い等の点灯条件を設定することもできる。
【００３５】
上記したように、本実施例の発光装置１においては、発光パネル１０の記憶部１２からパネル型式コードを読み出し、点灯駆動部２０の記憶部２３に保持されているパネル型式コードのいずれか１つと一致するか否かに基づいて、発光パネル１０と点灯駆動部２０との適合性の有無を判別する。そして、適合性が無いと判別した場合には、その旨が警告灯の点滅等によりユーザに告知される。かかる構成により、発光パネル１０とこれを点灯駆動する点灯駆動部２０との間の不適合に起因する発光色の相違等の問題が生じないようにすることができる。
【００３６】
本実施例の発光装置１においては、パネル型式コードを用いるので、発光パネル１０の複数の要素を含む特性情報を点灯駆動部２０側で分析処理する必要がない。また、パネル型式コードのみを用いて点灯駆動部２０側で予定している型式コードとの一致・不一致の判別し、当該判別のみによって適合性の可否を判別できるので、メーカ毎に異なる特性情報形式などの状況による判別不能の事態を回避できる。また、パネル毎に定まる諸特性値を閾値と対比する人間や装置による判別手順を必要としない。しかも、かかる判別手順によっては判別できない発光色の相違が生じることについても、実用的なパネルと点灯装置との適合性を判断することによって結果的に回避できる。また、パネル型式コードがメーカ識別情報やメーカ別型式情報等の詳細な情報を含むものとすることができるので、よりきめ細かな適合性判別が可能となる。
【００３７】
また、発光パネル１０が製品寿命を超えている場合にも、その旨がユーザに告知されるので、ユーザは発光パネル１０を交換すべき時期を適時に知ることができる。
【００３８】
なお、上記した実施例は、告知部２７が光学的手段等により告知する場合の例であるが、告知方法はこれに限られない。例えば、発光素子１１を点滅駆動させる、一定時間消灯する、又は、完全に消灯することによってユーザに告知することもできる。この場合、判別制御部２６は、図４のステップＳ１３において、パネル型式コードが一致しないと判別したときに、発光素子１１を点滅駆動させる等の駆動指示をドライバ２２に与える。ステップＳ１３において、発光パネル１０の寿命が尽きていると判別した場合にも同様の動作を行なうことができる。かかる告知方法によっても、ユーザは発光パネル１０と点灯駆動部２０との間の不整合や発光パネル１０の交換時期を知ることができる。
＜第２の実施例＞
以下、第１の実施例と異なる部分について主に説明する。
【００３９】
点灯駆動部２０の記憶部２３（図１）は、自身の点灯駆動部２０を示す駆動部型式コードを記憶する。駆動部型式コードは、例えば、メーカ識別情報とメーカ別型式情報等の製造型式情報を含む。メーカ別型式情報は、例えば、製造地情報、材料情報、及びモデル情報を含む。また、駆動部型式コードは、点灯駆動部２０のいわゆる製品型式を分類するためのコードと同一形式である必要はなく、所定の分類基準に従って分類される発光パネル群の各々を指称する数字や文字の集合であっても良い。
【００４０】
記憶部２３は、所定のデータマップも併せて記憶する。データマップは、複数の駆動部型式コードと、当該駆動部型式コードの各々に少なくとも１つ対応付けられたパネル型式識別コードとからなる。データマップ中の駆動部型式コードのうちの１つは、自身の点灯駆動部２０についてのものである。
【００４１】
図５には、点灯駆動部２０の記憶部２３に記憶される駆動部型式コードの一例が示されている。駆動部型式コード「Ｄ１−Ａ１−Ｅ１−Ｍ１」は、メーカ識別情報「Ｄ１」と、メーカ別型式情報「Ａ１−Ｅ１−Ｍ１」とからなる。メーカ別型式情報「Ａ１−Ｅ１−Ｍ１」は、製造地情報「Ａ１」、材料情報「Ｅ１」、及びモデル情報「Ｍ１」からなる。
【００４２】
図６には、点灯駆動部２０の記憶部２３に記憶されるデータマップの一例が示されている。データマップにおいては、駆動部型式コードとパネル型式コードとが対応付けられている。例えば、駆動部型式コード「Ｄ１−Ａ１−Ｅ１−Ｍ１」には、パネル型式コード「Ｐ１−Ａ１−Ｅ１−Ｍ１」及び「Ｐ１−Ａ１−Ｅ１−Ｍ２」が対応付けられている。
【００４３】
読出部２５は、点灯駆動部２０の記憶部２３に自身の点灯駆動部２０の駆動部型式コード及びデータマップが記憶されている場合には、これらも読み出して判別制御部２６に与える。この場合、判別制御部２６は、当該駆動部型式コードと、発光パネル１０の記憶部１２から読み出されたパネル型式コードとの組合せが、点灯駆動部２０の記憶部２３に記憶されているデータマップにおける駆動部型式コードとパネル型式コードとの組合せのいずれか１つと一致するか判別する。
【００４４】
以下、図７を参照しつつ、本実施例における判別制御部２６の適合性判別処理について説明する。
【００４５】
ステップＳ１０において、読出部２５は、発光パネル１０の記憶部１２からパネル型式コード（図２）を読み出して判別制御部２６に与える。また、読出部２５は、点灯駆動部２０の記憶部２３から、自身の点灯駆動部２０を示す駆動部型式コード（図５）及びデータマップ（図６）を読み出して判別制御部２６に与える（ステップＳ１０）。
【００４６】
判別制御部２６は、自身の点灯駆動部２０を示す駆動部型式コードと、発光パネル１０の記憶部１２から読み出されたパネル型式コード（図２）との組合せが、データマップにおける駆動部型式コードとパネル型式コードとの組合せのいずれか１つと一致するか判別する（ステップＳ１２）。
【００４７】
判別制御部２６は、これらの組合せが一致しないと判別した場合には、発光パネル１０が不適合品であることをユーザに告知する告知指示を告知部２７に与える（ステップＳ１３）。また、判別制御部２６は、発光素子１１を点灯させない指示をドライバ１３に与える。判別制御部２６は、これらの組合せが一致すると判別した場合にはステップＳ１４に進む。ステップＳ１４以降の動作は第１の実施例と同様である。
【００４８】
上記したように、本実施例の発光装置１においては、駆動部型式コードとパネル型式コードとが対応付けられたデータマップを用いて適合性の有無を判別する。かかる構成によれば、例えば複数の点灯駆動部２０が存在する場合に、互いに異なる複数の型式の発光パネル１０及び互いに異なる複数の型式の点灯駆動部２０の組合せ毎の適合性の判別が共通のデータマップによって判別できるので、コストダウンと共に汎用性が得られる。
＜第３の実施例＞
以下、図８を参照しつつ、点灯駆動部２０の判別制御部２６による別の適合性判別処理について説明する。ステップＳ２０〜Ｓ２３の動作は、図４のステップＳ１０〜Ｓ１３の動作と同様である。
【００４９】
判別制御部２６は、告知部２７に告知指示を与えた後（ステップＳ２３）、発光素子１１を点灯させる指示をドライバ２２に与える（ステップＳ２４）。
【００５０】
判別制御部２６は、点灯指示を与えた直後から、発光パネル１０の累積点灯時間のカウントを開始する（ステップＳ２５）。
【００５１】
判別制御部２６は、発光パネル１０の累積点灯時間が所定の閾値時間を超えていると判別した場合には（ステップＳ２６）、発光パネル１０の輝度特性が劣化している旨の告知をユーザに対して行なう告知指示を告知部２７に与える（ステップＳ２７）。一方、発光パネル１０の累積点灯時間が所定の閾値時間を超えていないと判別した場合には、判別制御部２６は当該ルーチンを終了する。
【００５２】
ステップＳ２２においてパネル型式コードが一致すると判別制御部２６が判別した場合には、ステップＳ２８に進む。ステップＳ２８及びＳ２９は、図４のステップＳ１４及びＳ１５と同様である。
【００５３】
上記したように、本実施例の発光装置１においては、パネル型式コードが一致しないと判別した場合であっても、ユーザの利便性を考慮して発光パネル１０を点灯させる。そして、適合性の無い発光パネル１０の使用により輝度特性が劣化し易いことに鑑みて、発光パネル１０の累積点灯時間が所定の閾値時間を超えた場合に、発光パネル１０の輝度特性が劣化している旨の告知をユーザに対して行なう。かかる構成により、発光パネル１０がたとえ適合性を有しない場合であっても、ユーザは発光パネル１０を使用することができ、更に輝度特性劣化の告知により発光パネル１０を交換すべき時期を適時に知ることもできる。
＜第４の実施例＞
図９には、ドライバ１３を備えた発光パネル１０を有する発光装置１の構成が示されている。本実施例においては、点灯駆動部２０はドライバを備えず、発光パネル１０がドライバ１３を備えている。これ以外の構成については第１の実施例と同様である。
【００５４】
ドライバ１３は有機半導体により構成される。ドライバ１３は、電源部２１から電源供給を受け、判別制御部２６からの指示に応じて発光素子１１を点灯駆動する。
【００５５】
かかる構成によっても、上記の実施例と同様の効果を奏することができる。
＜第５の実施例＞
図１０には、通信部２９を備える点灯駆動部２０を有する発光装置１の構成が示されている。通信部２９及び判別制御部２６以外の構成は、第1の実施例と同様である。以下、第1の実施例と異なる部分について主に説明する。
【００５６】
通信部２９は、通信網３０を介して通信端末３１との間で相互に通信自在である。通信部２９は、通信網３０を介して到来した指令を判別制御部２６に供給する。判別制御部２６は、通信網３０から供給された指令に応じた動作を行なう。
【００５７】
判別制御部２６は、追加判別実行手段を有する。点灯駆動部２０の記憶部２３が初期動作時においてデータマップを有しておらず、判別制御部２６がパネル型式コードの一致のみに基づいて発光パネル１０の適合性を判断した後に通信端末３１からデータマップを伴う追加判別指令が発せられた場合に、判別制御部２６は当該データマップを用いて第１の実施例と同様の判別処理を行う。また、通信端末３１から改訂されたパネル型式コード又はデータマップを伴う追加判別指令が発せられた場合にも、判別制御部２６は同様の追加判別を行う。
【００５８】
また、判別制御部２６は、寿命通知手段を有する。判別制御部２６は、図８のステップＳ２８において寿命が尽きたと判別した場合に、その旨の通知を通信部２９から通信網３０を介して通信端末３１に送信する。また、判別制御部２６は、図８のステップＳ２６において累積点灯時間が閾値時間を超えたと判別した場合に、その旨の通知を通信部２９から通信網３０を介して通信端末３１に送信する。
【００５９】
また、判別制御部２６は、点灯調整手段を有する。判別制御部２６は、通信端末３１から点灯指令、消灯指令、又は輝度調整指令を受けた場合には、ドライバ２２に対して発光パネル１０の点灯、消灯、又は輝度調整の指令を発する。
【００６０】
かかる構成により、ユーザは、遠隔地に居ながら、データマップの新規作成時やパネル型式コード又はデータマップ改訂時にパネル１０の適合性の判断を追加的に実行することができる。また、ユーザは、遠隔地に居ながら、パネル１０の寿命が尽きたことや輝度特性が劣化したことを随時知ることができる。更に、ユーザは、遠隔地に居ながら、発光パネル１０の点灯、消灯、又は輝度調整を適時に行うことができる。
＜第６の実施例＞
図１１に示されるように、本実施例の点灯駆動部２０の記憶部２３は、パネル型式コードに対応付けられた適合度情報を含む。適合度は、点灯駆動部２０に取り付けられた発光パネルが最適であることを示す「最適」、及び、取り付けられた発光パネルが最適ではないが使用に関して許容できる範囲のものであることを示す「許容適合」のいずれかである。例えばパネル型式コード「Ｐ１−Ａ１−Ｅ１−Ｍ１」には適合度「最適」が対応付けられている。また、図１２に示されるように、本実施例のデータマップにおいても、パネル型式コードに対応付けられた同様の適合度情報を含む。
【００６１】
以下、図１３を参照しつつ、点灯駆動部２０の判別制御部２６による、適合度情報を用いた適合性判別処理について説明する。ステップＳ３０〜Ｓ３２の動作は、図４のステップＳ１０〜Ｓ１２の動作と同様である。
【００６２】
判別制御部２６は、パネル型式コードが一致しないと判別した場合には、発光パネル１０が不適合品である旨の不適合信号と共に告知指示を告知部２７に与える（ステップＳ３２）。告知部２７は、不適合信号と共に告知指示を受けた場合には、例えば、比較的短い間隔で点滅する（ステップＳ３３）。
【００６３】
一方、判別制御部２６は、パネル型式コードが一致すると判別した場合（ステップＳ３２）、当該パネル型式コードに対応付けられている適合度が「最適」であるか否かを判別する（ステップＳ３４）。判別制御部２６は、適合度が「最適」であると判別した場合には、ステップＳ３５に進む。
【００６４】
一方、判別制御部２６は、適合度が「最適」ではない、すなわち「許容適合」であると判別した場合には、発光パネル１０が許容適合品である旨の許容適合信号と共に告知指示を告知部２７に与える（ステップＳ３４）。告知部２７は、許容適合信号と共に告知指示を受けた場合には、例えば比較的長い間隔で一定時間だけ点滅する（ステップＳ３５）。その後、ステップＳ３７に進む。ステップＳ３６及びＳ３７は、図４のステップＳ１４及びＳ１５と同様である。
【００６５】
上記したように、本実施例の発光装置１においては、パネル型式コードが一致すると判別した場合に、発光パネル１０の適合度を判別する。そして、最適な適合度でない場合には、その旨をユーザに告知する。その後、発光パネル１０を点灯させる。かかる動作により、点灯駆動部２０に取り付けられた発光パネルが最適なものでない場合には、その旨をユーザが知ることができ、最適な発光パネルに交換する契機とすることができる。また、発光パネルが最適なものでない場合であっても、発光パネルを使用することができる。
【００６６】
なお、図１２に示されるデータマップを用いた場合にも同様の動作により、同様の効果を奏することができる。
【符号の説明】
【００６７】
１  発光装置
１０  発光パネル
１１  発光素子
１２  記憶部
１３  ドライバ
２０  点灯駆動部
２１  電源部
２２  ドライバ
２３  記憶部
２４  処理部
２５  読出部
２６  判別制御部
２７  告知部
２８  通信部
３０  通信網
３１  通信端末
【図１】
2013114618.tif 000003
【図２】
2013114618.tif 000004
【図３】
2013114618.tif 000005
【図４】
2013114618.tif 000006
【図５】
2013114618.tif 000007
【図６】
2013114618.tif 000008
【図７】
2013114618.tif 000009
【図８】
2013114618.tif 000010
【図９】
2013114618.tif 000011
【図１０】
2013114618.tif 000012
【図１１】
2013114618.tif 000013
【図１２】
2013114618.tif 000014
【図１３】
2013114618.tif 000015
【国際調査報告】
2013114618.tif 000016
2013114618.tif 000017
2013114618.tif 000018